【手続補正書】
【提出日】平成24年10月22日(2012.10.22)
【手続補正１】
【補正対象書類名】特許請求の範囲
【補正対象項目名】全文
【補正方法】変更
【補正の内容】
【特許請求の範囲】
【請求項１】
吸入ポートと吐出ポートとを設けたハウジングと、該ハウジング内に配置され上記吸入ポートから吸入する冷媒を圧縮して上記吐出ポートから吐出する圧縮部と、上記ハウジング内に配置され上記圧縮部を駆動する回転軸を回転させる電動モータとを有する電動圧縮機において、
上記電動モータは、上記回転軸に固定されたロータと上記ハウジングに支持されたステータとを有し、
上記ロータは、磁石配設穴を設けたロータコア本体と、上記磁石配設穴に挿入配置された永久磁石と、上記磁石配設穴の開口部を閉塞する端板とを有してなり、
上記ロータの外表面全体が樹脂被膜により覆われており、
かつ、上記樹脂被膜は、上記ロータと該ロータに接続された上記回転軸との境界部分も覆うように形成されていることを特徴とする電動圧縮機。
【請求項２】
請求項１において、上記樹脂被膜は柔軟性を有していることを特徴とする電動圧縮機。
【請求項３】
請求項１又は２において、上記永久磁石は、その表面に耐食性を向上させる保護膜を形成してなることを特徴とする電動圧縮機。
【請求項４】
請求項３において、上記永久磁石と上記磁石配設穴の内壁面との間の少なくとも一部の間隙には、固定用樹脂が充填されていることを特徴とする電動圧縮機。
【請求項５】
請求項３又は４において、上記磁石配設穴は、上記永久磁石の外形状に対応した内周面形状の一部から外方に向けて窪んでいると共に軸方向の少なくとも一方に開口した拡張穴部を有しており、該拡張穴部に上記固定用樹脂が充填されていることを特徴とする電動圧縮機。
【請求項６】
請求項３〜５のいずれか１項において、上記永久磁石の表面に形成した上記保護膜は、ヒドロキシ基とアミノ基の少なくとも一方を有する化学吸着膜を有することを特徴とする電動圧縮機。
【請求項７】
請求項３〜６のいずれか１項において、上記永久磁石の表面に形成した上記保護膜は、金属からなる被膜を有することを特徴とする電動圧縮機。
【請求項８】
請求項３〜７のいずれか１項において、上記永久磁石の表面に形成した上記保護膜は、樹脂からなる被膜を有することを特徴とする電動圧縮機。
【請求項９】
請求項１〜８のいずれか１項において、上記永久磁石は希土類磁石であることを特徴とする電動圧縮機。
【請求項１０】
請求項１〜９のいずれか１項において、上記電動圧縮機は、循環経路に非金属製配管を備えた車載空調機用であることを特徴とする電動圧縮機。
【請求項１１】
請求項１〜１０のいずれか１項において、上記電動圧縮機は、分子式：Ｃ3ＨmＦn（但し、ｍは１〜５の整数、ｎは１〜５の整数、かつ、ｍ＋ｎ＝６）で表され分子構造中に二重結合を１個有する冷媒又は該冷媒を含む混合冷媒を循環させる冷凍サイクルに用いられることを特徴とする電動圧縮機。
【請求項１２】
請求項１〜１１のいずれか１項において、上記電動圧縮機は、ポリオールエステル（ＰＯＥ）、ポリビニルエーテル（ＰＶＥ）及びポリアルキレングリコール（ＰＡＧ）の少なくとも一つを含有する潤滑油を上記ハウジング内に含むことを特徴とする電動圧縮機。
【手続補正２】
【補正対象書類名】明細書
【補正対象項目名】０００８
【補正方法】変更
【補正の内容】
【０００８】
本発明は、吸入ポートと吐出ポートとを設けたハウジングと、該ハウジング内に配置され上記吸入ポートから吸入する冷媒を圧縮して上記吐出ポートから吐出する圧縮部と、上記ハウジング内に配置され上記圧縮部を駆動する回転軸を回転させる電動モータとを有する電動圧縮機において、
上記電動モータは、上記回転軸に固定されたロータと上記ハウジングに支持されたステータとを有し、
上記ロータは、磁石配設穴を設けたロータコア本体と、上記磁石配設穴に挿入配置された永久磁石と、上記磁石配設穴の開口部を閉塞する端板とを有してなり、
上記ロータの外表面全体が樹脂被膜により覆われており、
かつ、上記樹脂被膜は、上記ロータと該ロータに接続された上記回転軸との境界部分も覆うように形成されていることを特徴とする電動圧縮機にある（請求項１）。
【手続補正３】
【補正対象書類名】明細書
【補正対象項目名】００１４
【補正方法】変更
【補正の内容】
【００１４】
本発明の電動圧縮機において、上記樹脂被膜は、上記ロータと該ロータに接続された上記回転軸との境界部分も覆うように形成されている。上記ロータは上記回転軸と接続された状態で使用されるが、その接続境界部分をも上記樹脂被膜により覆うことにより、さらにロータ内部への水や酸の浸入の防止効果を高めることができる。
【手続補正４】
【補正対象書類名】明細書
【補正対象項目名】００１５
【補正方法】変更
【補正の内容】
【００１５】
また、上記樹脂被膜は柔軟性を有していることが好ましい（請求項２）。例えば、上述したように、万が一永久磁石が脆化した場合には、その脆化に伴って永久磁石ば膨張し、これを収容するロータ全体の体積も増大する。この場合に、上記樹脂被膜が柔軟性を有し、ロータの体積増大に追従することができれば、上記樹脂被膜による磁石粉末の放出防止効果を維持することができる。また、樹脂皮膜の柔軟性は、引張試験により得られる伸び率によって評価することができ、伸び率が５％以上のものが柔軟性があるとすることができる。
【手続補正５】
【補正対象書類名】明細書
【補正対象項目名】００１７
【補正方法】変更
【補正の内容】
【００１７】
また、上記永久磁石は、その表面に耐食性を向上させる保護膜を形成してなることが好ましい（請求項３）。この場合には、永久磁石自体の耐食性が向上するため、さらに永久磁石の特性劣化抑制効果を高めることができる。
【手続補正６】
【補正対象書類名】明細書
【補正対象項目名】００１８
【補正方法】変更
【補正の内容】
【００１８】
また、上記永久磁石と上記磁石配設穴の内壁面との間の少なくとも一部の間隙には、固定用樹脂が充填されていることが好ましい（請求項４）。すなわち、上記のごとく、ロータに内蔵させる永久磁石の表面に上記保護膜を形成した上で、さらに、永久磁石と磁石配設穴の内壁面との間の少なくとも一部の間隙に、固定用樹脂を充填することが好ましい。これにより、上記電動圧縮機の運転中において、上記ロータ内の永久磁石がたとえ相対移動しようとしても、これを上記固定用樹脂が存在することによって阻止することができる。それ故、永久磁石表面の上記保護膜にダメージが付与されることを防止することができ、これにより、永久磁石の特性劣化をさらに抑制することができる。
【手続補正７】
【補正対象書類名】明細書
【補正対象項目名】００１９
【補正方法】変更
【補正の内容】
【００１９】
また、上記磁石配設穴は、上記永久磁石の外形状に対応した内周面形状の一部から外方に向けて窪んでいると共に軸方向の少なくとも一方に開口した拡張穴部を有しており、該拡張穴部に上記固定用樹脂が充填されていることが好ましい（請求項５）。この場合には、上記永久磁石を挿入配置するための磁石配設穴を必要最低限の大きさに抑制し、かつ、上記拡張穴部を設けることによって、当該拡張穴部内に集中的に固定用樹脂を充填する構成をとることができる。これにより、上記ロータに固定用樹脂を充填する隙間を設けることによる磁気的性能の低下を極力避けつつ固定用樹脂の充填作業の容易化を図ることができる。
【手続補正８】
【補正対象書類名】明細書
【補正対象項目名】００２１
【補正方法】変更
【補正の内容】
【００２１】
また、上記永久磁石の表面に形成する保護膜としては、永久磁石の耐食性を向上させるものであれば様々な種類の膜を採用することができる。
例えば、上記永久磁石の表面に形成した上記保護膜は、ヒドロキシ基とアミノ基の少なくとも一方を有する化学吸着膜を有するものとすることができる（請求項６）。
【手続補正９】
【補正対象書類名】明細書
【補正対象項目名】００２７
【補正方法】変更
【補正の内容】
【００２７】
また、上記永久磁石の表面に形成した上記保護膜は、金属からなる被膜を有するものとすることもできる（請求項７）。上記金属からなる被膜としては、例えば、アルミニウム、ニッケル、銅などの金属の被膜がある。製膜方法としては、メッキ法、スパッタリング法、蒸着法など、公知の様々な製膜方法を採用できる。この金属からなる被膜を上記保護膜として用いることにより、永久磁石の耐食性を格段に向上させることができる。そして、上記保護膜としてこの金属からなる被膜だけを用いてもよいし、当該金属からなる被膜の表面に、さらに上述した化学吸着膜を形成することにより、両者の作用効果が相俟ってさらに永久磁石の耐食性を高めることができる。金属からなる被膜としては、電動モータの特性劣化を抑制するためにはニッケルなどの磁性金属からなる被膜を採用することが好ましい。
【手続補正１０】
【補正対象書類名】明細書
【補正対象項目名】００２８
【補正方法】変更
【補正の内容】
【００２８】
また、上記永久磁石の表面に形成した上記保護膜は、樹脂からなる被膜を有するものとすることもできる（請求項８）。上記樹脂からなる被膜としては、例えば、エポキシ樹脂、アクリル樹脂、フッ素樹脂などの被膜があげられ、様々な塗装方法によって形成することができる。この樹脂からなる被膜を上記保護膜として用いることにより、水分をはじきやすい疎水性の表面特性を容易に得ることができる。また、上記保護膜としては、上記樹脂からなる被膜だけを用いることもできるが、上述した化学吸着膜や金属からなる被膜と組み合わせて積層することもできる。例えば、永久磁石の表面に上記樹脂からなる被膜を設け、さらにその表面に上述した化学吸着膜を設けてもよい。また、永久磁石の表面に上述した金属からなる被膜を設け、その表面に上記樹脂からなる被膜を設ける構成、さらには樹脂からなる被膜の表面に上述した化学吸着膜を設ける構成も取り得る。複数の膜を組み合わせた場合には、それぞれの膜の作用効果の相乗効果によって永久磁石の耐食性向上効果をさらに高めることがきる。
【手続補正１１】
【補正対象書類名】明細書
【補正対象項目名】００２９
【補正方法】変更
【補正の内容】
【００２９】
また、上記永久磁石は希土類磁石とすることができる（請求項９）。電動圧縮機用の永久磁石としては、フェライト磁石等も適用可能であるが、磁気的特性からみれば希土類磁石の方が適している。一方、希土類磁石はフェライト磁石に比べて、腐食しやすい傾向にある。そのため、上記のごとく、上記ロータをロータコア本体と端板とにより構成してロータコア本体内の磁石配設穴を密閉する構造を採用した上で、上記ロータの外表面全体を樹脂被膜により覆った構成を採用することが特に有効である。
【手続補正１２】
【補正対象書類名】明細書
【補正対象項目名】００３０
【補正方法】変更
【補正の内容】
【００３０】
また、上記電動圧縮機は、循環経路に非金属製配管を備えた車載空調機用であることが好ましい（請求項１０）。車載空調機は、圧縮機の他に凝縮器、膨張弁、蒸発器等を備え、これらを連絡する循環経路中に冷媒及び潤滑油を封入する構成が取られる。循環経路を構成する配管の一部には、可撓性を持たせたり制振性を高めるために樹脂製配管等の非金属製配管を採用することがある。ここでいう樹脂は、広義の意味での樹脂であり、いわゆる天然樹脂、合成樹脂、天然ゴム、合成ゴム等を含む概念である。この樹脂製配管等の非金属製配管は、非常にわずかながらも水分を透過させる特性を有している場合が多い。そのため、例えば高温多湿の環境において長年使用を続ければ、樹脂製配管等の非金属製配管を通して空気中から循環経路内に水分が浸入するおそれがある。また、循環経路内に浸入した水分の影響で冷媒や潤滑油が変質し、酸等が生じる場合も考えられる。それ故、車載用空調機においては、上記のごとく、上記ロータをロータコア本体と端板とにより構成してロータコア本体内の磁石配設穴を密閉する構造を採用した上で、上記ロータの外表面全体を樹脂被膜により覆った構成を採用することが特に有効である。
【手続補正１３】
【補正対象書類名】明細書
【補正対象項目名】００３１
【補正方法】変更
【補正の内容】
【００３１】
また、上記電動圧縮機は、分子式：Ｃ3ＨmＦn（但し、ｍは１〜５の整数、ｎは１〜５の整数、かつ、ｍ＋ｎ＝６）で表され分子構造中に二重結合を１個有する冷媒又は該冷媒を含む混合冷媒を循環させる冷凍サイクルに用いられることが好ましい（請求項１１）。
冷凍サイクルに用いられる冷媒としては、従来のフロンと称される冷媒よりもオゾン層破壊への影響が少ない冷媒が使われるようになって来た。このような新しいタイプの冷媒としては、ＣＦ3−ＣＦ＝ＣＨ2（２，３，３，３−テトラフルオロ−１−プロペン）等に代表されるような、分子式：Ｃ3ＨmＦn（但し、ｍは１〜５の整数、ｎは１〜５の整数、かつ、ｍ＋ｎ＝６）で表され分子構造中に二重結合を１個有する冷媒が注目されている（以下、適宜、「ＨＦＯ１２３４ｙｆタイプ冷媒」という。）。
【手続補正１４】
【補正対象書類名】明細書
【補正対象項目名】００３３
【補正方法】変更
【補正の内容】
【００３３】
また、上記電動圧縮機は、ポリオールエステル（ＰＯＥ）、ポリビニルエーテル（ＰＶＥ）及びポリアルキレングリコール（ＰＡＧ）の少なくとも一つを含有する潤滑油を上記ハウジング内に含む場合にも有効である（請求項１２）。これらの潤滑油を含む場合においても、冷媒循環経路中への水、酸等の浸入は好ましくない。例えば、ポリオールエステルは、水分存在下において加水分解して有機カルボン酸を発生する。有機カルボン酸も上述したフッ酸と同様に、永久磁石を腐食させる原因となりうる。そのため、この場合にも、上記のごとく、上記ロータをロータコア本体と端板とにより構成してロータコア本体内の磁石配設穴を密閉する構造を採用した上で、上記ロータの外表面全体を樹脂被膜により覆った構成を採用することが特に有効である。